(57)【要約】  上部が開口された本体ケースと、本体ケースの開口を覆うトッププレートと、上部が開口され、本体ケースの底面板に載置された１つあるいは複数の部品ホルダーと、部品ホルダーの上にトッププレートと対向するように配置された加熱手段とを備え、本体ケースは、前後及び左右の側面板のうち、少なくとも１つの側面板に内側に突出する１つあるいは複数の凸部が設けられ、部品ホルダーは、前後及び左右の側面部のうち、何れかの側面部が凸部の下面に接触して配置され、残り側面部の何れかの側面部が係止手段によって本体ケースの底面板に固定されている。
2016098492.tif 000002
【特許請求の範囲】
【請求項１】
上部が開口された本体ケースと、
前記本体ケースの開口を覆うトッププレートと、
上部が開口され、前記本体ケースの底面板に載置された１つあるいは複数の部品ホルダーと、
前記部品ホルダーの上に前記トッププレートと対向するように配置された加熱手段と
を備え、
前記本体ケースは、前後及び左右の側面板のうち、少なくとも１つの側面板に内側に突出する１つあるいは複数の凸部が設けられ、
前記部品ホルダーは、前後及び左右の側面部のうち、何れかの側面部が前記凸部の下面に接触して配置され、残り側面部の何れかの側面部が係止手段によって前記本体ケースの底面板に固定されていることを特徴とする加熱調理器。
【請求項２】
前記部品ホルダーは、上部に風路カバーを有し、前記風路カバーの前後及び左右の側面部のうち、何れかの側面部が前記凸部の下面に接触して配置されることを特徴とする請求項１記載の加熱調理器。
【請求項３】
前記本体ケースの側面板は、弾性あるいは可撓性を有していることを特徴とする請求項１又は２の何れかに記載の加熱調理器。
【請求項４】
前記本体ケースの角部は、前後の側面板が左右の側面板にネジによって固定されるように構成され、前記凸部の下面に前記部品ホルダーの側面部が配置された後に、当該凸部が設けられた側面板の両端が前記ネジによって固定されることを特徴とする請求項１又は２の何れかに記載の加熱調理器。
【請求項５】
前記本体ケースは、前記凸部が設けられた側面板と対向する側面板に前記凸部がさらに設けられ、２つの前記部品ホルダーがそれぞれ前記凸部の下面に接触して配置され、２つの前記部品ホルダーの互いに対向する側面部が共通の係止手段によって前記本体ケースの底面板に固定されていることを特徴とする請求項１記載の加熱調理器。
【発明の詳細な説明】
【技術分野】
【０００１】
本発明は、基板等の部品が収納された部品ホルダーを備えた加熱調理器に関するものである。
【背景技術】
【０００２】
従来の加熱調理器は、部品ホルダーを本体ケースに固定する際、本体ケースの底面板、あるいは底面板から突出させた座面にネジ等の係止手段で固定している（例えば、特許文献１参照）。
【先行技術文献】
【特許文献】
【０００３】
【特許文献１】特開２０１２−２３７５２１号公報
【発明の概要】
【発明が解決しようとする課題】
【０００４】
従来の加熱調理器では、本体ケースの収納エリアに対し、部品ホルダーの一方が本体ケースの側面板まで占めるような大きさの場合、部品ホルダーの片側を固定できるが、部品ホルダーのもう一方を固定することができなくなることがあった。【０００５】
本発明は、前述のような課題を解決するためになされたもので、本体ケースの収納エリアに対し部品ホルダーが大きくなっても、部品ホルダーの両端側を固定できる加熱調理器を提供することを目的とする。
【課題を解決するための手段】
【０００６】
本発明に係る加熱調理器は、上部が開口された本体ケースと、本体ケースの開口を覆うトッププレートと、上部が開口され、本体ケースの底面板に載置された１つあるいは複数の部品ホルダーと、部品ホルダーの上にトッププレートと対向するように配置された加熱手段とを備え、本体ケースは、前後及び左右の側面板のうち、少なくとも１つの側面板に内側に突出する１つあるいは複数の凸部が設けられ、部品ホルダーは、前後及び左右の側面部のうち、何れかの側面部が凸部の下面に接触して配置され、残り側面部の何れかの側面部が係止手段によって本体ケースの底面板に固定されている。
【発明の効果】
【０００７】
本発明によれば、部品ホルダーの前後及び左右の側面部のうち、何れかの側面部を凸部の下面に接触して配置し、残り側面部の何れかの側面部を係止手段によって本体ケースの底面板に固定している。この構成により、本体ケース内に部品ホルダーを収納した際に、部品ホルダーを片側しか固定できない状態であっても、部品ホルダーの両端側を容易に固定できる。
【図面の簡単な説明】
【０００８】
【図１】本発明の実施の形態１に係る加熱調理器の外観斜視図。
【図２】図１の加熱調理器において部品ホルダーの設置例を示す平面図。
【図３】図２の加熱調理器において部品ホルダー及び加熱コイルユニットを示す平面図。
【図４】図３を矢視Ａ−Ａ方向から見て示す断面図。
【図５】本発明の実施の形態１の変形例を示す平面図。
【図６】本発明の実施の形態２に係る加熱調理器においてトッププレートを取り外して示す平面図。
【図７】図６を矢視Ｂ−Ｂ方向から見て示す断面図。
【図８】本発明の実施の形態２の変形例１を示す断面図。
【図９】本発明の実施の形態２の変形例２を示す断面図。
【図１０】本発明の実施の形態２の変形例３を示す平面図。
【図１１】本発明の実施の形態３に係る加熱調理器において部品ホルダーの設置例を示す平面図。
【図１２】図１１を矢視Ｃ−Ｃ方向から見て示す断面図。
【図１３】図１２に示す部品ホルダーの取り付け例を示す断面図。
【発明を実施するための形態】
【０００９】
実施の形態１．
図１は本発明の実施の形態１に係る加熱調理器の外観斜視図、図２は図１の加熱調理器において部品ホルダーの設置例を示す平面図、図３は図２の加熱調理器において部品ホルダー及び加熱コイルユニットを示す平面図、図４は図３を矢視Ａ−Ａ方向から見て示す断面図である。
図１〜図３において、実施の形態１における加熱調理器は、本体ケース１０、トッププレート２０、トッププレート２０の前面部に配置された操作表示部３０、本体ケース１０内に設置された部品ホルダー４０、トッププレート２０の下面に接近するように部品ホルダー４０の上に配置された加熱コイルユニット５０（加熱手段）等を備えている。
【００１０】
本体ケース１０は、例えば、上部が開口された箱形状に形成されている。この本体ケース１０の前面板１１及び背面板１２の両端側は、対角線上において互いに対向するように内側に斜めに折り曲げられて、それぞれ前面板１１及び背面板１２に対し直角に折り曲げられた連結部１１ａ、１２ａを有している。また、左右の側面板１３、１４の両端側は、前述の連結部１１ａ、１２ａにネジ１３ａによって固定されている。
【００１１】
また、本体ケース１０の背面板１２には、例えば、本体ケース１０の内側に突出する複数の三角形状の凸部１２ｂが設けられている。この凸部１２ｂは、例えば背面板１２をプレス加工により成形されたものである。この凸部１２ｂの下面には、後述する部品ホルダー４０の側面部４２が配置される。本体ケース１０の前面板１１側の底面板１５には、例えば、部品ホルダー４０を固定するネジ座１６が左右方向に２箇所設けられている。
【００１２】
トッププレート２０は、四辺形状に形成された耐熱強化ガラスよりなり、外周に額縁状のフレーム２１が装着された状態で本体ケース１０の開口を覆うように取り付けられている。トッププレート２０の上面には、鍋等の調理容器の載置位置を示す円形状の加熱部２２が表示されている。加熱部２２の下方には、前述した加熱コイルユニット５０が配置されている。
【００１３】
操作表示部３０は、例えば電源キースイッチ３１によりオンされたときに点灯して、加熱コイルユニット５０の電力（火力）の設定、湯沸かし制御の指示、調理温度の設定等を行う各種のキースイッチが表示される。なお、そのキースイッチは、静電容量式スイッチである。また、操作表示部３０は、電力の設定に基づく火力、キースイッチの操作に応じて動作する加熱調理器の調理状態を表示するように構成されている。
【００１４】
部品ホルダー４０は、前後と左右とに側面部４１、４２、４３、４４を有し、本体ケース１０の底面板１５に設置されている。また、部品ホルダー４０の側面部４１には、ネジ座１５ａと対向する位置に支持片４１ａが設けられている。支持片４１ａには、ネジ１３ａが挿入される貫通穴が設けられており、前述のネジ座１６とで係止手段が構成されている。この部品ホルダー４０には、例えば、電子部品が実装された基板６０、冷却ファンユニット７０等が収納されて固定されている。
【００１５】
次に、部品ホルダー４０の本体ケース１０への取り付けについて、図４を参照しながら説明する。図４は図３を矢視Ａ−Ａ方向から見て示す断面図である。
基板６０、冷却ファンユニット７０等が収納された部品ホルダー４０を、本体ケース１０内に取り付ける際、先ず、部品ホルダー４０の側面部４２側から本体ケース１０内に斜めにした状態で入れる。次いで、その側面部４２を本体ケース１０の底面板１５と複数の凸部１２ｂとの間に挿入して配置し、その状態で部品ホルダー４０そのものを本体ケース１０の底面板１５上に載せる。この時、部品ホルダー４０の側面部４２の角部が本体ケース１０の連結部１２ａに接触し、部品ホルダー４０の支持片４１ａが本体ケース１０のネジ座１６に載置される。そして、ネジ１３ａを支持片４１ａの貫通穴に通してネジ座１６にねじ込み、部品ホルダー４０を本体ケース１０の底面板１５に固定する。
【００１６】
以上のように実施の形態１によれば、部品ホルダー４０の側面部４２を複数の凸部１２ｂの下面に接触させて配置し、部品ホルダー４０の側面部４１をネジ１３ａによって本体ケース１０の底面板１５に固定している。この構成により、本体ケース１０内に部品ホルダー４０を収納した際に、部品ホルダー４０を片側しか固定できない状態であっても、部品ホルダー４０の両端側を容易に固定できる。また、複数の凸部１２ｂにより部品ホルダー４０の側面部４２を押さえるような状態であっても、部品ホルダー４０の側面部４１をネジ１３ａによって固定しているので、部品ホルダー４０の前後方向と左右方向及び上下方向の全てを固定できる。
【００１７】
次に、実施の形態１の変形例について、図５を用いて説明する。図５は本発明の実施の形態１の変形例を示す平面図である。なお、変形例においては、実施の形態１と同様あるいは相当部分には同じ符号を付している。
図５に示す本体ケース１０には、背面板１２から突出する複数の凸部１２ｂに加えて、左右方向の側面板１３、１４にそれぞれ複数の凸部１３ｂ、１４ａが設けられている。この複数の凸部１３ｂ、１４ａの設置高さは、前述の凸部１２ｂと同じ高さである。また、部品ホルダー４０の左右方向の側面部４３、４４には、それぞれ外方へ突出する複数の押え部４３ａ、４４ａが設けられている。この押え部４３ａ、４４ａは、部品ホルダー４０の左右の側面部４３、４４を押さえるためで、凸部１３ｂ、１４ａの下面に接触して配置されている。
【００１８】
前述したように、部品ホルダー４０を本体ケース１０の前面板１１から斜めに挿入して、部品ホルダー４０を本体ケース１０内に落とし込む。そして、部品ホルダー４０を背面側に押すと、部品ホルダー４０の側面部４２が複数の凸部１２ｂの下面に接触して配置され、部品ホルダー４０の押え部４３ａ、４４ａが本体ケース１０の凸部１３ｂ、１４ａの下面に入る。その後、ネジ１３ａを支持片４１ａの貫通穴に通してネジ座１６にねじ込み、部品ホルダー４０を本体ケース１０の底面板１５側に固定する。
【００１９】
このように、部品ホルダー４０の側面部４２を複数の凸部１２ｂの下面に接触させて配置し、部品ホルダー４０の側面部４１をネジ１３ａで固定する他に、部品ホルダー４０の押え部４３ａ、４４ａを本体ケース１０の凸部１３ｂ、１４ａの下面に接触して配置している。このため、実施の形態１と比べ、より確実に部品ホルダー４０を固定できる。
【００２０】
実施の形態２．
実施の形態１では、部品ホルダー４０の側面部４２を複数の凸部１２ｂで押さえるようにしたが、実施の形態２は、部品ホルダー４０に設けられた風路カバーを複数の凸部１２ｂで押さえるようにしたものである。
【００２１】
図６は本発明の実施の形態２に係る加熱調理器においてトッププレートを取り外して示す平面図、図７は図６を矢視Ｂ−Ｂ方向から見て示す断面図である。なお、実施の形態２においては、実施の形態１と同様あるいは相当部分には同じ符号を付している。
【００２２】
実施の形態２においては、加熱調理器の本体ケース１０には、上部に風路カバー８０を有する部品ホルダー４０が設置されている。風路カバー８０と部品ホルダー４０とで風路が形成されている。この風路には、冷却ファンユニット７０からの冷却風が送り込まれ、基板６０上の電子部品を冷却した後、流出口８１から吹き出して加熱コイルユニット５０を冷却する。
【００２３】
本体ケース１０の背面板１２に設けられた複数の凸部１２ｂの下面には、部品ホルダー４０の上部に設けられた風路カバー８０の側面部８２の角部８３が配置されている。また、部品ホルダー４０の側面部４１には、実施の形態１と同様に、ネジ１３ａによって、側面部４１に設けられた支持片４１ａがネジ座１５ａに固定されている。
【００２４】
以上のように実施の形態２によれば、風路カバー８０を有する部品ホルダー４０であっても、複数の凸部１２ｂの下面に風路カバー８０の角部８３を配置して、部品ホルダー４０の側面部４２側を押さえ、部品ホルダー４０の側面部４１をネジ１３ａによって本体ケースの底面板１５に固定している。この構成により、本体ケース１０内に部品ホルダー４０を収納した際に、部品ホルダー４０を片側しか固定できない状態であっても、部品ホルダー４０の両端側を容易に固定できる。また、複数の凸部１２ｂにより部品ホルダー４０の側面部４２を風路カバー８０を介して押さえるような状態であっても、部品ホルダー４０の側面部４１をネジ１３ａによって固定しているので、部品ホルダー４０の前後方向と左右方向及び上下方向の全てを固定できる。
【００２５】
次に、実施の形態２の変形例１、２、３について、図８〜図１０を用いて説明する。図８は本発明の実施の形態２の変形例１を示す断面図、図９は本発明の実施の形態２の変形例２を示す断面図、図１０は本発明の実施の形態２の変形例３を示す平面図である。なお、変形例１、２、３においては、実施の形態１、２と同様あるいは相当部分には同じ符号を付している。
【００２６】
変形例１における本体ケース１０の前面板１１及び背面板１２、左右の側面板１３、１４には、弾性（又は可撓性）を持たせている。部品ホルダー４０の上部に設けられた風路カバー８０を複数の凸部１２ｂの下面に接触させて配置する際、図８に示すように、本体ケース１０の背面板１２を外方に力を加えてたわまさせ、部品ホルダー４０を本体ケース１０の底面板１５に設置する。そして、本体ケース１０の背面板１２に加えている力を取り除いて、その背面板１２を元の状態に戻す。この時、風路カバー８０の角部８３が複数の凸部１２ｂの下面に接触して配置される。
【００２７】
このように、部品ホルダー４０を本体ケース１０の底面板１５に設置する際、本体ケース１０の背面板１２を外方に力を加えたときに背面板１２がたわむようにしているので、風路カバー８０を有する部品ホルダー４０であっても容易に本体ケース１０に設置できる。
【００２８】
変形例２においては、風路カバー８０を有する部品ホルダー４０を本体ケース１０の底面板１５に設置する際、本体ケース１０の背面板１２を固定しているネジ１３ａを外して、図９に示すように、その背面板１２を後方へ傾ける。そして、部品ホルダー４０を本体ケース１０の底面板１５に設置した後、傾けた背面板１２を左右の側面板１３、１４にネジ１３ａで固定する。その際、風路カバー８０の角部８３が複数の凸部１２ｂの下面に接触して配置される。
【００２９】
このように、部品ホルダー４０を本体ケース１０の底面板１５に設置する際、背面板１２を固定しているネジ１３ａを外して、その背面板１２を後方へ傾けるようにしているので、風路カバー８０を有する部品ホルダー４０であっても容易に本体ケース１０に設置できる。
【００３０】
変形例３における本体ケース１０には、背面板１２から突出する複数の凸部１２ｂに加えて、左右方向の側面板１３、１４にそれぞれ複数の凸部１３ｂ、１４ａが設けられている。背面板１２に設けられた複数の凸部１２ｂは、図７に示すように、風路カバー８０の角部８３を押さえるためであり、側面板１３、１４にそれぞれ設けられた複数の凸部１３ｂ、１４ａは、風路カバー８０の左右の側面部８４、８５を押さえるためである。また、部品ホルダー４０の前面側の側面部４１は、前述したようにネジ１３ａによって本体ケース１０の底面板１５側に固定される。
【００３１】
このように、部品ホルダー４０の上部に設けられた風路カバー８０を複数の凸部１２ｂ及び凸部１３ｂ、１４ａにより押さえ、さらに、部品ホルダー４０の側面部４１をネジ１３ａによって本体ケース１０の底面板１５側に固定するようにしている。この構成により、部品ホルダー４０を風路カバー８０と共に前後方向と左右方向及び上下方向の全てを固定できる。
【００３２】
実施の形態３．
図１１は本発明の実施の形態３に係る加熱調理器において部品ホルダーの設置例を示す平面図、図１２は図１１を矢視Ｃ−Ｃ方向から見て示す断面図、図１３は図１２に示す部品ホルダーの取り付け例を示す断面図である。なお、実施の形態３においては、実施の形態１と同様あるいは相当部分には同じ符号を付している。
【００３３】
実施の形態３においては、図１１及び図１２に示すように、本体ケース１０内に２つの部品ホルダー９０、１００が底面板１５に設置されている。部品ホルダー９０には、基板６０ａが収納されており、部品ホルダー１００には、冷却ファンユニット７０、基板６０ｂ等が収納されている。
【００３４】
また、部品ホルダー９０の側面部９１には、左右方向に２つの支持片９１ａが設けられている。部品ホルダー１００の側面部１０２には、左右方向に２つの支持片１０２ａが設けられている。この支持片１０２ａは、部品ホルダー９０側の支持片９１ａよりも下側に位置し、両方の部品ホルダー９０、１００が本体ケース１０に設置された際には重なって、ネジ１３ａによってネジ座１６に固定される。本体ケース１０の前面板１１には、内側に突出する複数の凸部１１ｂが設けられている。この複数の凸部１１ｂは、部品ホルダー１００の側面部１０１の高さに合わせて、複数の凸部１２ｂよりも高い位置に設けられている。なお、支持片９１ａ、１０２ａ及びネジ座１６により、共通の係止手段が構成されている。
【００３５】
部品ホルダー９０、１００を本体ケース１０に収納する際、図１３に示すように、先ず、本体ケース１０の前面板１１に設けられた複数の凸部１１ｂの下面側に部品ホルダー１００の側面部１０１を配置する。次いで、部品ホルダー１００を下方に下げて、側面部１０２に設けられた支持片１０２ａをネジ座１６の上に載せる。その後、本体ケース１０の背面板１２に設けられた複数の凸部１２ｂの下面に部品ホルダー９０の側面部９２を配置する。次いで、部品ホルダー９０を下方に下げて、側面部９１に設けられた支持片９１ａを支持片１０２ａの上に重ねる。そして、ネジ１３ａによって支持片９１ａ、１０２ａをネジ座１６に固定する。
【００３６】
以上のように実施の形態３によれば、本体ケースに２つの部品ホルダー９０、１００を収納する際、先ず、部品ホルダー１００の側面部１０１を複数の凸部１１ｂの下面に接触させて配置し、部品ホルダー１００を本体ケース１０の底面板１５に設置する。次に、部品ホルダー９０の側面部９２を複数の凸部１２ｂの下面に接触させて配置し、部品ホルダー９０を本体ケース１０の底面板１５に設置する。そして、ネジ座１６に上から順に重ねられた支持片９１ａ、１０２ａをネジ１３ａによってネジ座１６に固定するようにしている。この構成により、本体ケース１０内に２つの部品ホルダー９０、１００を収納した際に、それぞれ部品ホルダー９０、１００を片側しか固定できない状態であっても、部品ホルダー９０、１００の両端側を容易に固定できる。また、部品ホルダー９０、１００を共通のネジで固定しているので、部品ホルダー４０の前後方向と左右方向及び上下方向の全てを固定できる。
【００３７】
なお、実施の形態１（変形例を含む）、実施の形態２（変形例１、２、３を含む）及び実施の形態３では、係止手段を２つ用いているが、係止手段を１つでも良い。また、凸部１１ｂ、１２ｂを３個としているが、凸部１１ｂ、１２ｂの個数は限定されるものではない。
【００３８】
また、実施の形態１（変形例を含む）、実施の形態２（変形例１、２、３を含む）及び実施の形態３では、１つの加熱部２２を有する加熱調理器について述べたが、２つ以上の加熱部を有する加熱調理器に本発明を適用しても良い。
【符号の説明】
【００３９】
１０  本体ケース、１１  前面板、１１ａ  連結部、１１ｂ  凸部、１２  背面板、１２ａ  連結部、１２ｂ  凸部、１３  側面板、１３ａ  ネジ、１３ｂ  凸部、１４  側面板、１４ａ  凸部、１５  底面板、１６  ネジ座、２０  トッププレート、２１  フレーム、２２  加熱部、３０  操作表示部、３１  電源キースイッチ、４０  部品ホルダー、４１、４２、４３、４４  側面部、４１ａ  支持片、４３ａ、４４ａ  押え部、５０  加熱コイルユニット、６０、６０ａ、６０ｂ  基板、７０  冷却ファンユニット、８０  風路カバー、８１  流出口、８２  側面部、８３  角部、８４、８５  側面部、８４ａ、８５ａ  押え部、９０  部品ホルダー、９１、９２  側面部、９１ａ  支持片、１００  部品ホルダー、１０１、１０２  側面部、１０２ａ  支持片。
【図１】
2016098492.tif 000003
【図２】
2016098492.tif 000004
【図３】
2016098492.tif 000005
【図４】
2016098492.tif 000006
【図５】
2016098492.tif 000007
【図６】
2016098492.tif 000008
【図７】
2016098492.tif 000009
【図８】
2016098492.tif 000010
【図９】
2016098492.tif 000011
【図１０】
2016098492.tif 000012
【図１１】
2016098492.tif 000013
【図１２】
2016098492.tif 000014
【図１３】
2016098492.tif 000015
【国際調査報告】
2016098492.tif 000016
2016098492.tif 000017
2016098492.tif 000018
2016098492.tif 000019